【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
放送信号により送信される放送番組コンテンツデータと、ネットワークを介して配信される配信コンテンツデータとを受信し、該放送番組コンテンツデータ及び該配信コンテンツデータに係る映像を再生可能な再生装置であって、
放送番組コンテンツデータ及び配信コンテンツデータに係る映像を再生する再生手段と、
放送番組コンテンツデータが放送されるチャンネルを選局する選局手段と、
前記放送番組コンテンツデータに対応する内容の配信コンテンツデータの所在情報を取得する取得手段と、
前記放送番組コンテンツデータが、該放送番組コンテンツデータの放送開始時刻より後に前記選局手段により選局され、前記取得手段により前記所在情報が取得された場合に、前記放送番組コンテンツデータに対応する内容を冒頭から視聴可能なことを通知する通知手段と、を有し、
前記通知手段は、前記選局手段により選局された前記放送番組コンテンツデータを所定時間より長く再生している場合に、前記放送番組コンテンツデータに対応する内容を冒頭から視聴可能なことを通知することを特徴とする再生装置。
【請求項２】
前記選局手段により、前記放送番組コンテンツデータが放送されるチャンネルを選局された時刻が、前記放送番組コンテンツデータの放送終了時刻から所定時間以内であった場合、前記通知手段は、前記放送番組コンテンツデータに対応する内容を冒頭から視聴可能なことを通知しないことを特徴とする請求項１に記載の再生装置。
【請求項３】
前記選局手段が、前記放送番組コンテンツデータが放送されるチャンネルを選局する直前に、選局していたチャンネルで放送されていた放送番組コンテンツデータがコマーシャルであった場合、及び、前記直前に選局していたチャンネルで放送されていた放送番組コンテンツデータを所定時間より長く再生していた場合の少なくともいずれかにおいて、前記通知手段は、前記選局手段で選局された前記放送番組コンテンツデータに対応する内容を冒頭から視聴可能なことを通知しないことを特徴とする請求項１または２に記載の再生装置。
【請求項４】
前記放送番組コンテンツデータを前記選局手段により直接選局された場合、及び、前記放送番組コンテンツデータが視聴予約されたものである場合の少なくともいずれかにおいて、前記通知手段は、前記選局手段により選局された前記放送番組コンテンツデータを所定時間より長く再生しているかどうかに関わらず、前記放送番組コンテンツデータに対応する内容を冒頭から視聴可能なことを通知することを特徴とする請求項１に記載の再生装置。
【請求項５】
前記通知手段は、前記選局手段により選局された前記放送番組コンテンツデータを録画している場合には、前記放送番組コンテンツデータに対応する内容を冒頭から視聴可能なことを通知しないことを特徴とする請求項１に記載の再生装置。
【請求項６】
前記通知手段は、前記選局手段により選局された前記放送番組コンテンツデータのジャンルが所定のジャンルの場合に、前記放送番組コンテンツデータを所定時間より長く再生しているかどうかに関わらず、前記放送番組コンテンツデータに対応する内容を冒頭から視聴可能なことを通知することを特徴とする請求項１に記載の再生装置。
【請求項７】
前記通知手段は、前記選局手段により選局された前記放送番組コンテンツデータに対応する内容を冒頭から視聴するか否かをユーザに選択させるための画像を用いて通知し、
前記放送番組コンテンツデータに対応する内容を冒頭から視聴することが選択された場合には、前記再生手段は、前記取得手段により取得された前記所在情報に基づいて、前記放送番組コンテンツデータから前記放送番組放送コンテンツデータに対応する配信コンテンツに切り替えて再生することを特徴とする請求項１ないし６のいずれか一項に記載の再生装置。
【請求項８】
放送信号により送信される放送番組コンテンツデータと、ネットワークを介して配信される配信コンテンツデータとを受信し、該放送番組コンテンツデータ及び該配信コンテンツデータに係る映像を再生可能な再生装置の制御方法であって、
放送番組コンテンツデータ及び配信コンテンツデータに係る映像を再生する再生ステップと、
放送番組コンテンツデータが放送されるチャンネルを選局する選局ステップと、
前記放送番組コンテンツデータに対応する内容の配信コンテンツデータの所在情報を取得する取得ステップと、
前記放送番組コンテンツデータが、該放送番組コンテンツデータの放送開始時刻より後に前記選局ステップで選局され、前記取得ステップで前記所在情報が取得された場合に、前記放送番組コンテンツデータに対応する内容を冒頭から視聴可能なことを通知する通知ステップと、を有し、
前記通知ステップでは、前記選局ステップで選局された前記放送番組コンテンツデータを所定時間より長く再生している場合に、前記放送番組コンテンツデータに対応する内容を冒頭から視聴可能なことを通知することを特徴とする再生装置の制御方法。
【手続補正２】
【補正対象書類名】明細書
【補正対象項目名】発明の名称
【補正方法】変更
【補正の内容】
【発明の名称】再生装置及びその制御方法
【手続補正３】
【補正対象書類名】明細書
【補正対象項目名】０００８
【補正方法】変更
【補正の内容】
【０００８】
上記課題を解決するために、本発明は、放送信号により送信される放送番組コンテンツデータと、ネットワークを介して配信される配信コンテンツデータとを受信し、該放送番組コンテンツデータ及び該配信コンテンツデータに係る映像を再生可能な再生装置であって、放送番組コンテンツデータ及び配信コンテンツデータに係る映像を再生する再生手段と、放送番組コンテンツデータが放送されるチャンネルを選局する選局手段と、前記放送番組コンテンツデータに対応する内容の配信コンテンツデータの所在情報を取得する取得手段と、前記放送番組コンテンツデータが、該放送番組コンテンツデータの放送開始時刻より後に前記選局手段により選局され、前記取得手段により前記所在情報が取得された場合に、前記放送番組コンテンツデータに対応する内容を冒頭から視聴可能なことを通知する通知手段と、を有し、前記通知手段は、前記選局手段により選局された前記放送番組コンテンツデータを所定時間より長く再生している場合に、前記放送番組コンテンツデータに対応する内容を冒頭から視聴可能なことを通知する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００５０
【補正方法】変更
【補正の内容】
【００５０】
図６は、ユーザが、放送コンテンツ「映画  ＊＊は＋＋だった」の放送時間（Ｆ６０１）中の時刻「１８：１５：００」に選局した（Ｆ６０２）ため、当該放送コンテンツを冒頭から視聴できなかったことを表している。なお、この後、ユーザは選局操作を行わなかったとする。
【手続補正８】
【補正対象書類名】明細書
【補正対象項目名】０１５４
【補正方法】変更
【補正の内容】
【０１５４】
Ｔ３２０２は、識別ＩＤ「ＩＤ２」、チャンネル「Ｃｈ．Ａ」でジャンル「バラエティ」の番組タイトル「バラエティ△  □□□について語る」という放送コンテンツが、「２００８年７月１日１９時０分０秒」から「１時間０分０秒」間放送されることを表す。
【手続補正９】
【補正対象書類名】明細書
【補正対象項目名】０１５５
【補正方法】変更
【補正の内容】
【０１５５】
Ｔ３２０３は、識別ＩＤ「ＩＤ３」、チャンネル「Ｃｈ．Ｂ」でジャンル「ニュース」の番組タイトル「６時のニュース  ○○事件続報！」という放送コンテンツが、「２００８年７月１日１８時０分０秒」から「１時間０分０秒」間放送されることを表す。
【手続補正１０】
【補正対象書類名】明細書
【補正対象項目名】０１５６
【補正方法】変更
【補正の内容】
【０１５６】
Ｔ３２０４は、識別ＩＤ「ＩＤ４」、チャンネル「Ｃｈ．Ｂ」でジャンル「アニメ」の番組タイトル「アニメ  ○○○○  ついに△△登場！？」という放送コンテンツが、「２００８年７月１日１９時０分０秒」から「０時間３０分０秒」間放送されることを表す。
【手続補正１１】
【補正対象書類名】明細書
【補正対象項目名】０１６３
【補正方法】変更
【補正の内容】
【０１６３】
一方、仮にユーザが「２００８年７月１日１８：１５：００」の時点でチャンネル「Ｃｈ．Ｂ」を選局した場合、チャンネル「Ｃｈ．Ｂ」で放送している放送コンテンツは「６時のニュース  ○○事件続報！」である。この場合、当該放送コンテンツのジャンルは「ニュース」となり、図３３のＴ３３０３に該当するため、通知要否フラグとして「通知不要」を取得する。これにより、通知が必要でないと判定され（Ｓ３４０２でＮＯ）、ユーザに通知しないと判定する（Ｓ３４０３）。